(57)【要約】【課題】分解能向上と組立作業の容易化と小型化が図れる回転式電子部品を提供する。【解決手段】スイッチパターン３３を設けたフレキシブル回路基板３０を合成樹脂製の基板保持台５０上にインサート成形によって取り付ける。フレキシブル回路基板３０の上方に摺動子１６０を取り付けた回転体１３０を設置する。基板保持台５０のフレキシブル回路基板３０を載置する面を上方に向けて凸となる円弧面で構成する。フレキシブル回路基板３０はスイッチパターン３３を設けた円弧状の機能部３１と、機能部３１の両端から引き出され上面に配線パターン４１を形成した平面状の配線部４３Ａ，４３Ｂとを有する。配線部４３Ａ，４３Ｂの部分を基板保持台５０に設けた挟持部５３Ａ，５３Ｂによって挟持することで機能部３１を基板保持台５０上に張設する。【選択図】図２
2010092847.tif 000002
【特許請求の範囲】
【請求項１】
表面に摺接パターンを設けた機能部と前記機能部の両端からそれぞれ引き出されてその表面に前記摺接パターンに接続される配線パターンを形成した配線部とを有するフレキシブル回路基板を合成樹脂製の基板保持台上に載置し、且つ前記フレキシブル回路基板の機能部の上方に摺動子を取り付けた回転体を設置し、
前記基板保持台の前記フレキシブル回路基板の機能部を載置する面を摺動子側に向けて凸となる円弧面とすると共に、フレキシブル回路基板を基板保持台にインサート成形により一体化して取り付け、
前記回転体を前記フレキシブル回路基板の円弧面に対向した状態で沿うように移動させる構成とすることで、前記円弧状の摺接パターン上に摺動子を摺接させて摺接パターンの電気的出力を変化させることを特徴とする回転式電子部品。
【請求項２】
請求項１に記載の回転式電子部品において、
前記基板保持台の側部に、前記回転体の移動方向を向くコイルバネ収納部を設けた弾発部材収納体を併設するとともに、前記回転体に設けた一対のバネ押圧部を、前記コイルバネ収納部の両端に設けた挿通部内を通過自在で且つコイルバネ収納部に収納したコイルバネの端部を押圧する位置に配置することによって、回転体の中立位置自動復帰機構を構成したことを特徴とする回転式電子部品。
【請求項３】
請求項１又は２に記載の回転式電子部品において、
前記フレキシブル回路基板の両配線部の部分を前記基板保持台に設けた挟持部によって挟持することを特徴とする回転式電子部品。
【請求項４】
請求項３に記載の回転式電子部品において、
前記挟持部は平板状に形成され、且つこの挟持部には前記フレキシブル回路基板の配線部に設けた位置決め孔を通して挟持部の上下を貫通する位置決め穴が設けられていることを特徴とする回転式電子部品。
【発明の詳細な説明】
【技術分野】
【０００１】
本発明は回転式電子部品に関するものである。
【背景技術】
【０００２】
従来、回転式電子部品の中には、例えば特許文献１（特にその図３）に示すように、摺接パターン（１３７）を設けたフレキシブル回路基板（１３０）の面に対向して回転体（５０）を設置し、回転体（５０）に取り付けた摺動子（８０）を前記摺接パターン（１３７）に摺接させることで摺接パターン（１３７）の出力を変化させ、一方フレキシブル回路基板（１３０）の摺接パターン（１３７）を設けた機能部（１３１）に前記摺接パターン（１３７）に接続される配線パターン（１４１，１３９）を形成した配線部（１３３）を接続して設け、この配線部（１３３）を機能部（１３１）の後方に折り曲げ、折り曲げた位置で第２フレキシブル回路基板（１７０）（特許文献１の図８参照）を圧接して前記摺接パターン（１３７）の出力を外部に取り出す構造の回転式電子部品がある。
【先行技術文献】
【特許文献】
【０００３】
【特許文献１】特開２００８−７１６０７号公報
【発明の概要】
【発明が解決しようとする課題】
【０００４】
しかしながら上記従来の回転式電子部品には以下のような問題点があった。
（１）例えば特許文献１の摺接パターン（１３７）のように複数本の円弧状の摺接パターン（１３７）を平行に配置した場合、下側（回転中心軸に近い側）の摺接パターン（１３７）の長さが短くなってしまい、このため可変抵抗器やスイッチとしての分解能が低くなってしまう。この問題は、摺接パターン（１３７）の本数が増加したり、回転式電子部品の小型化が図られた場合に大きくなる。
【０００５】
（２）上記従来の回転式電子部品の組み立ては、フレキシブル回路基板（１３０）の機能部（１３１）を垂直方向に立ててこれに対向する位置に回転体（５０）を設置し、次にこれら機能部（１３１）と回転体（５０）の上部に操作つまみ（１００）を設置し、一方フレキシブル回路基板（１３０）の配線部（１３３）を後方に直角に折り曲げて配置するなど、その組み立て工程が煩雑で、より組み立て易い構造の回転式電子部品が要望されていた。この問題も回転式電子部品が小型化されるほど大きくなる。
【０００６】
本発明は上述の点に鑑みてなされたものでありその目的は、分解能が向上し、組み立て作業も容易で、小型化を図ることができる回転式電子部品を提供することにある。
【課題を解決するための手段】
【０００７】
本願請求項１に記載の発明は、表面に摺接パターンを設けた機能部と前記機能部の両端からそれぞれ引き出されてその表面に前記摺接パターンに接続される配線パターンを形成した配線部とを有するフレキシブル回路基板を合成樹脂製の基板保持台上に載置し、且つ前記フレキシブル回路基板の機能部の上方に摺動子を取り付けた回転体を設置し、前記基板保持台の前記フレキシブル回路基板の機能部を載置する面を摺動子側に向けて凸となる円弧面とすると共に、フレキシブル回路基板を基板保持台にインサート成形により一体化して取り付け、前記回転体を前記フレキシブル回路基板の円弧面に対向した状態で沿うように移動させる構成とすることで、前記円弧状の摺接パターン上に摺動子を摺接させて摺接パターンの電気的出力を変化させることを特徴とする回転式電子部品にある。
【０００８】
本願請求項２に記載の発明は、請求項１に記載の回転式電子部品において、前記基板保持台の側部に、前記回転体の移動方向を向くコイルバネ収納部を設けた弾発部材収納体を併設するとともに、前記回転体に設けた一対のバネ押圧部を、前記コイルバネ収納部の両端に設けた挿通部内を通過自在で且つコイルバネ収納部に収納したコイルバネの端部を押圧する位置に配置することによって、回転体の中立位置自動復帰機構を構成したことを特徴とする回転式電子部品にある。
【０００９】
本願請求項３に記載の発明は、請求項１又は２に記載の回転式電子部品において、前記フレキシブル回路基板の両配線部の部分を前記基板保持台に設けた挟持部によって挟持することを特徴とする回転式電子部品にある。
【００１０】
本願請求項４に記載の発明は、請求項３に記載の回転式電子部品において、前記挟持部は平板状に形成され、且つこの挟持部には前記フレキシブル回路基板の配線部に設けた位置決め孔を通して挟持部の上下を貫通する位置決め穴が設けられていることを特徴とする回転式電子部品にある。
【発明の効果】
【００１１】
請求項１に記載の発明によれば、フレキシブル回路基板に設けた摺接パターンの上方に摺動子を取り付けた回転体を設置する構造なので、回転式電子部品の組み立てが一方向で容易に行なえ、回転式電子部品の小型化にも容易に対応できる。
また複数本並列に配置した摺接パターンの長さを何れも短くする必要がなく、何れも長い長さ（同一長さ）を維持することができるので分解能の向上が図られる。また併設する摺接パターンの本数も容易に多くでき、多回路化が容易に図れる。
またフレキシブル回路基板を合成樹脂製の基板保持台にインサート成形することで両者を一体化するので、基板保持台に対するフレキシブル回路基板の取付精度が向上し、これによって摺動子の摺接パターンへの摺接位置の精度が向上し、この点からも分解能の向上が図れる。
【００１２】
請求項２に記載の発明によれば、コイルバネを弾発部材収納体に収納しているので、回転体にはコイルバネを収納する必要がなくてコイルバネ収納部の挿通部に挿入させる小さなバネ押圧部を設けるだけでよくなる。このため回転体の高さ寸法の小型化が図れると同時に、回転式電子部品全体の高さ寸法を小さくすることができる。つまりコイルバネを回転体側に収納する構成に比べて、容易に回転式電子部品の高さ寸法を小さくすることができる。
【００１３】
請求項３に記載の発明によれば、機能部両端の配線部を基板保持台の挟持部に挟持して取り付けるので、機能部を基板保持台の円弧面上に容易且つ確実に張った状態に設置でき、このため精度のよい出力が得られ、分解能の向上が図れる。
【００１４】
請求項４に記載の発明によれば、挟持部の部分にフレキシブル回路基板の位置決め孔を設けたので、湾曲する部分ではない平板状の挟持部の部分を有効に利用して、フレキシブル回路基板を基板保持台にインサート成形する際に用いる金型の位置決めピンによるフレキシブル回路基板の金型キャビティー内での位置決めを正確且つ確実に行うことができる。
【図面の簡単な説明】
【００１５】
【図１】回転式電子部品１の斜視図である。
【図２】図１に示す回転式電子部品１のＡ−Ａ概略断面図である。
【図３】図１に示す回転式電子部品１のＢ−Ｂ概略断面図である。
【図４】回転式電子部品１を上側から見た分解斜視図である。
【図５】回転式電子部品１を下側から見た分解斜視図である。
【図６】回転式電子部品１を下側の別の角度から見た分解斜視図である。
【図７】フレキシブル回路基板３０の斜視図である。
【図８】回転式電子部品１−２の斜視図である。
【図９】回転式電子部品１−２を下側から見た斜視図である。
【図１０】図８に示す回転式電子部品１−２のＣ−Ｃ概略断面図である。
【図１１】図８に示す回転式電子部品１−２のＤ−Ｄ概略断面図である。
【図１２】図８に示す回転式電子部品１−２のＥ−Ｅ概略断面図である。
【図１３】回転式電子部品１−２を上側から見た分解斜視図である。
【図１４】回転式電子部品１−２を下側から見た分解斜視図である。
【図１５】フレキシブル回路基板３３０と端子板５００の斜視図である。
【図１６】回転式電子部品１のコイルバネ１８０等からなる中立位置自動復帰機構部分の概略断面図である。
【発明を実施するための形態】
【００１６】
以下、本発明の実施形態を図面を参照して詳細に説明する。図１は本発明の第１実施形態にかかる回転式電子部品１の斜視図、図２は図１に示す回転式電子部品１のＡ−Ａ概略断面図、図３は図１に示す回転式電子部品１のＢ−Ｂ概略断面図（但し配線部４５の部分の断面は示さず）、図４は回転式電子部品１を上側から見た分解斜視図、図５は回転式電子部品１を下側から見た分解斜視図、図６は回転式電子部品１を下側の別の角度から見た分解斜視図である。以下各構成部品について説明する。なお以下の説明において、「上」とは基板保持台５０から回転体１３０を向く方向をいい、「下」とはその反対方向をいうものとする（下記する第２実施形態においても同様）。
【００１７】
これらの図に示すように回転式電子部品１は、取付台１０上に、フレキシブル回路基板３０を一体成形した基板保持台５０と、回転体収納体９０とを設置し、それらの上に回転体１３０を設置して構成されている。回転体１３０には摺動子１６０が取り付けられ、また中立位置自動復帰機構用の弾発手段（以下「コイルバネ」という）１８０が収納されている。以下各構成部品について説明する。
【００１８】
取付台１０は金属板（例えば鉄板）を略矩形状に形成し、その４隅近傍に略円形の貫通孔からなる取付孔１１を設けて構成されている。
【００１９】
図７はフレキシブル回路基板３０単体の斜視図である。同図に示すようにフレキシブル回路基板３０は、合成樹脂フイルム（この実施形態ではポリエチレンテレフタレート（ＰＥＴ）フイルムを用いているが、他の各種合成樹脂フイルムを用いても良い）を略帯状に形成しその表面（上面）に複数本の摺接パターン（以下この実施形態では「スイッチパターン」という）３３を設けた機能部３１と、機能部３１の両端からそれぞれ引き出してその表面（上面）に前記各スイッチパターン３３に接続される配線パターン４１を形成した配線部４３Ａ，４３Ｂと、両配線部４３Ａ，４３Ｂを基板保持台５０の外部において一体に連結した配線部４５とを具備して構成されている。
【００２０】
スイッチパターン３３は帯状の機能部３１の長手方向に向かう１本のコモンスイッチパターン３３ａと、コモンスイッチパターン３３ａに平行で同一直線上に配置される一対のオンオフスイッチパターン３３ｂ，３３ｂとを、例えばスクリーン印刷や金属箔のエッチングなどによって形成して構成されている。コモンスイッチパターン３３ａと一方のオンオフスイッチパターン３３ｂの同一側の端部にはそれぞれ配線パターン４１，４１が接続されて一方の配線部４３Ａ上に引き出されており、他方のオンオフスイッチパターン３３ｂの反対側の端部には配線パターン４１が接続されて他方の配線部４３Ｂ上に引き出されている。両配線部４３Ａ，４３Ｂは略コ字状に折れ曲がる形状を有することで１つの帯状の配線部４５に接続されており、前記各配線パターン４１は何れもこの配線部４５上に引き出されるように形成されている。以上の構成により、フレキシブル回路基板３０には開口４９が形成される。また両配線部４３Ａ，４３Ｂにはそれぞれ円形の位置決め孔４７Ａ，４７Ｂが設けられている。
【００２１】
基板保持台５０は合成樹脂（この実施形態ではＡＢＳ樹脂であるが、他の各種合成樹脂でも良い）の一体成形品であり、その中央部分は略帯板状で下記する摺動子１６０側（即ち上側）に向けて凸となるアーチ形状の機能部取付部５１となっている。機能部取付部５１の上面は凸状の円弧面の一部で形成されており、それに合わせて機能部取付部５１の下面は凹状の円弧面となっている。機能部取付部５１は前記フレキシブル回路基板３０の機能部３１全体を載置できる寸法形状に形成されている。機能部取付部５１の左右両側部には前記フレキシブル回路基板３０の配線部４３Ａ，４３Ｂの一部を挟持する矩形平板状の挟持部５３Ａ，５３Ｂが形成されている。挟持部５３Ａ，５３Ｂには、前記フレキシブル回路基板３０の配線部４３Ａ，４３Ｂに設けた各位置決め孔４７Ａ，４７Ｂを通して挟持部５３Ａ，５３Ｂの上下を貫通する位置決め穴５７Ａ，５７Ｂが形成されている。挟持部５３Ａ，５３Ｂの下面にはそれぞれ小突起からなる取付突部５４，５４が設けられている。機能部取付部５１と両挟持部５３Ａ，５３Ｂの一方の側辺（フレキシブル回路基板３０の配線部４５を配置する側の側辺）には上方向に立設する側壁部５５が形成されている。側壁部５５の側面の略中央には左右方向（前記機能部取付部５１上面の円弧方向）に円弧状に延びる貫通孔からなるガイド部５９が設けられている。ガイド部５９の円弧の中心軸は、下記する機能部取付部５１表面の円弧の中心軸Ｃ１と一致している。
【００２２】
また図２に示すように機能部取付部５１上面の円弧を含む円筒の中心軸Ｃ１は、基板保持台５０の下面（両挟持部５３Ａ，５３Ｂの下面を含む水平平面）中央よりも真下に向かって所定距離下降した位置にある。言い換えれば前記円弧は、前記中心軸Ｃ１から見た円弧の角度θ１が１８０°以内となる円弧の一部の範囲に形成されている。
【００２３】
フレキシブル回路基板３０は図２〜図４等に示すように基板保持台５０にインサート成形により一体に取り付けられている。即ち基板保持台５０と同一形状のキャビティーを有する図示しない金型内にフレキシブル回路基板３０をインサートして設置し、その状態で前記キャビティー内に溶融した合成樹脂を圧入することで、基板保持台５０を成形すると同時に基板保持台５０にフレキシブル回路基板３０を一体に取り付ける。これによってフレキシブル回路基板３０の機能部３１はその全体が機能部取付部５１上面の上方向に凸となる円弧面に沿うようにこれに密着して設置され、その際スイッチパターン３３は上面側に露出する。またフレキシブル回路基板３０の両配線部４３Ａ，４３Ｂの機能部３１側の一部の部分（この部分は平面状である）の上下が挟持部５３Ａ，５３Ｂによって挟持・固定され、これによって機能部３１は機能部取付部５１上に張設された状態となる。なお前記フレキシブル回路基板３０に設けた位置決め孔４７Ａ，４７Ｂは、フレキシブル回路基板３０を金型内にインサートした際の位置決め用のピンを挿入するためのものであり、ピンを挿入することによって基板保持台５０に前記位置決め穴５７Ａ，５７Ｂが形成される。このように挟持部５３Ａ，５３Ｂの部分にフレキシブル回路基板３０の位置決め孔４７Ａ，４７Ｂを設けたので、湾曲する部分ではない平板状の挟持部５３Ａ，５３Ｂの部分を有効に利用して、フレキシブル回路基板３０を基板保持台５０にインサート成形する際に用いる金型の位置決めピンによるフレキシブル回路基板３０の金型キャビティー内での位置決めを正確且つ確実に行うことができる。
【００２４】
次に回転体収納体９０は合成樹脂（この実施形態ではＡＢＳ樹脂であるが、他の各種合成樹脂でも良い）の一体成形品であり、その上面９１は左右方向（長手方向）に向かって上方向に凸となる円弧面となっている。回転体収納体９０の基板保持台５０側を向く面には、下記する回転体１３０の回転体本体部１３１を収納する空間からなる収納部９３が設けられ、また上面９１には左右方向に向かって切り欠いてなる開口部９５が設けられている。収納部９３内部の上面と下面はそれぞれ回転体ガイド面９７Ａ，９７Ｂとなっている。回転体ガイド面９７Ａ，９７Ｂは何れも上方向に凸となるようにそれらの長手方向に向かって円弧状に湾曲する円弧面である。収納部９３内部の左右両側中央からは平板状のバネ押圧部９９，９９が突出している。バネ押圧部９９，９９も上方向に凸となるように円弧状に湾曲している。また回転体収納体９０の収納部９３を設けた反対側の面の左右両端近傍下部からは一対の矩形状の取付基部１０１が突設しており、それらの下面からは下方向に向かって小突起状の取付部１０３が突出している。なお上記回転体収納体９０の各部の上方向に凸となる円弧面の中心軸は、この回転体収納体９０と前記基板取付台５０とを取付台１０上に載置した際に前記基板取付台５０で説明した中心軸Ｃ１と同一軸になる。
【００２５】
回転体１３０は合成樹脂（この実施形態ではＰＯＭ樹脂であるが他の各種合成樹脂でも良い）の一体成形品であり、回転体本体部１３１と摺動子取付部１４１とを並列に設置し、これらの上部に一体に操作つまみ１５１を取り付けて構成されている。回転体本体部１３１は略四角柱を長手方向（左右方向）に円弧状に湾曲させた形状であり、回転体収納体９０側を向く面に長手方向に向けて前記円弧に合わせて円弧状に湾曲する略矩形状のコイルバネ収納部１３３を設けている。回転体本体部１３１は回転体収納体９０に設けた収納部９３に収納され、その上下面が回転体収納体９０の回転体ガイド面９７Ａ，９７Ｂにぴったり当接し、回転体本体部１３１が回転体ガイド面９７Ａ，９７Ｂに沿って円弧状に左右に回動（揺動）する外形形状に形成されている。つまり回転体本体部１３１は回転体収納体９０に円弧状に回転するように収納される形状に形成されている。コイルバネ収納部１３３の左右両端には前記回転体収納体９０のバネ押圧部９９をコイルバネ収納部１３３内に挿入するためのスリット状の切り欠きからなる挿通部１３５が設けられている。
【００２６】
摺動子取付部１４１は回転体本体部１３１に並列に設置され、その下面に平面状の摺動子設置部１４２が設けられ、摺動子設置部１４２の面には摺動子１６０を取り付けるための小突起１４３が設けられている。摺動子取付部１４１の前記回転体本体部１３１とは反対側を向く面からは四角柱状のガイド部１４５が外方（基板保持台５０の側壁部５５側）に向けて突出している。ガイド部１４５は前記側壁部５５のガイド部５９に挿入される寸法で構成されている。操作つまみ１５１は平板状でその長手方向（左右方向）に向かって上方向に凸となる円弧面形状のつまみ基部１５３と、つまみ基部１５３の上面中央から上方向に向かって突出する突起状のつまみ部１５５と、つまみ基部１５３の下面中央から突出して回転体本体部１３１の上面中央に一体に連結される柱部１５７とを具備して構成されている。
【００２７】
摺動子１６０は弾性金属板製の略矩形状の基部１６１の一辺から２本の摺動冊子１６３を突出し、その根元部分を基部１６１の一方の面側（フレキシブル回路基板３０側）に約１８０°折り返してそれらの先端に摺接接点１６５を設けて構成されている。基部１６１には小孔１６７が設けられている。この摺動子１６０と前記フレキシブル回路基板３０に形成したスイッチパターン３３とによって回転体１３０の回転によって電気的出力を変化する電気的機能部が構成される。
【００２８】
コイルバネ１８０は圧縮方向に弾発力を有する圧縮コイルバネであり、その両端には消音用の弾性体（この実施形態では合成ゴム）からなるバネ受１８１が取り付けられる。なお図４，図５ではコイルバネ１８０及びバネ受１８１をコイルバネ収納部１３３に収納した状態を、図６は収納していない状態を示している。
【００２９】
次に回転式電子部品１の組立方法を説明する。まず予め回転体１３０の摺動子設置部１４２に摺動子１６０の基部１６１を当接し、その際２つの小孔１６７に回転体１３０の２つの小突起１４３をそれぞれ挿入して一方の小突起１４３の先端を熱かしめして固定する。一方回転体１３０のコイルバネ収納部１３３に両端にバネ受１８１を取り付けたコイルバネ１８０を収納しておく。
【００３０】
そして前記回転体１３０の回転体本体部１３１を、回転体収納体９０の収納部９３内に収納し、同時に回転体収納部９０の回転体本体部１３１を収納した側の側部に基板保持台５０を配置してその際摺動子１６０の摺接接点１６５をスイッチパターン３３に当接すると同時に回転体１３０のガイド部１４５を基板保持台５０のガイド部５９に挿入する。そしてこれら併設した回転体収納体９０及び基板保持台５０を取付台１０上に載置し、その際取付台１０の各取付孔１１に回転体収納体９０の各取付部１０３と基板保持台５０の各取付突部５４，５４とを挿入し、各取付部１０３と取付突部５４，５４の先端を取付台１０の下面側で熱かしめする。これによって回転式電子部品１の組み立てが完了する。なお上記組立手順はその一例であり、他の各種異なる組立手順を用いて組み立てても良いことはいうまでもない。
【００３１】
この回転式電子部品１においては取付台１０上に回転体１３０の回転体本体部１３１を挟持しながら回転体収納体９０と基板保持台５０を設置するだけでその組み立てが行えるので、前記特許文献１の回転式電子部品の場合に比べて組み立てが容易になる。言い換えれば、フレキシブル回路基板３０に設けたスイッチパターン３３が上向きで、その上方に摺動子１６０を取り付けた回転体１３０を設置する構造なので、回転式電子部品１の組み立てが一方向（つまり取付台１０に対してその上方向）から容易に行なえる。従って回転式電子部品１の小型化にも容易に対応できる。
【００３２】
以上のように構成された回転式電子部品１において、操作つまみ１５１を中立位置から左右に回転すると、回転体１３０は中心軸Ｃ１（前述のように中心軸Ｃ１は基板保持台５０の下面中央から真下に向かって所定距離下降した位置にある）を中心に回転し、つまり回転体１３０がフレキシブル回路基板３０の機能部３１の円弧面に対向した状態で沿うように移動し、これによって摺動子１６０の摺接接点１６５，１６５がそれぞれコモンスイッチパターン３３ａ上とオンオフスイッチパターン３３ｂ上とを摺動してその出力を変化し、その出力が３本の配線パターン４１に取り出される。上記のように操作つまみ１５１を中立位置から回転させた際、これと一体に回転する回転体本体部１３１の一方の挿通部１３５に回転体収納体９０の一方のバネ押圧部９９が入り込み、コイルバネ収納部１３３内のコイルバネ１８０の一方のバネ受１８１を押圧してコイルバネ１８０をコイルバネ収納部１３３内で圧縮し、中立位置への自動復帰力が生じる。従って操作つまみ１５１の回転を解除すれば、操作つまみ１５１は元の中立位置に自動復帰し、電気的出力も元の中立位置の出力になる。
【００３３】
なお操作つまみ１５１のつまみ基部１５３は、操作つまみ１５１を左右に回転した際にその両先端辺が挟持部５３Ａ，５３Ｂや配線部４３Ａ，４３Ｂに当接しない寸法に形成されているが、挟持部５３Ａ，５３Ｂや配線部４３Ａ，４３Ｂの幅寸法を短くしてつまみ基部１５３の先端辺が当接しないようにすれば、つまみ基部１５３の回転方向の長さ寸法をさらに長くでき、またつまみ基部１５３の回転角度をさらに大きくすることもできる。
【００３４】
この回転式電子部品１においては、フレキシブル回路基板３０を合成樹脂製の基板保持台５０にインサート成形することで両者を一体化しているので、基板保持台５０に対するフレキシブル回路基板３０の取付精度が向上し、これによって摺動子１６０のスイッチパターン３３への摺接位置の精度が向上して分解能が向上する。さらにこの回転式電子部品１においては、フレキシブル回路基板３０の機能部３１の両端の配線部４３Ａ，４３Ｂを基板保持台５０の挟持部５３Ａ，５３Ｂに挟持して取り付けるので、機能部３１を基板保持台５０の機能部取付部５１上面の円弧面上に容易且つ確実に張設でき、これによってさらに摺動子１６０のスイッチパターン３３への摺接位置の精度が向上し、精度のよい出力が得られ、分解能が向上する。
【００３５】
またこの回転式電子部品１においては、２本並列に配置したコモンスイッチパターン３３ａとオンオフスイッチパターン３３ｂの長さを何れも短くする必要がなく、何れも長い長さ（同一長さ）を維持することができるのでこの点からも分解能の向上が図られる。またこの回転式電子部品１においてはスイッチパターン３３を２本併設したが、併設するスイッチパターン３３の本数を３本以上に容易に多くすることができ、多回路化が容易に図れる。その場合も各スイッチパターン３３の長さを同一の長さに形成でき、分解能が悪くなることはない。
【００３６】
なおこの回転式電子部品１は、図３に点線で示すように、例えば電子機器の外装ケース２００の近傍に設置されることが多く、その場合、外装ケース２００に設けた開口部２０１に操作つまみ１５１のつまみ部１５５を露出する。
【００３７】
図８は本発明の第２実施形態にかかる回転式電子部品１−２の斜視図、図９は回転式電子部品１−２を下側から見た斜視図、図１０は図８に示す回転式電子部品１−２のＣ−Ｃ概略断面図、図１１は図８に示す回転式電子部品１−２のＤ−Ｄ概略断面図、図１２は図８に示す回転式電子部品１−２のＥ−Ｅ概略断面図、図１３は回転式電子部品１−２を上側から見た分解斜視図、図１４は回転式電子部品１−２を下側から見た分解斜視図である。
【００３８】
これらの図に示すように回転式電子部品１−２は、取付台３１０上に、フレキシブル回路基板３３０を一体成形した基板保持台３５０と、弾発部材収納体３９０とを設置（併設）し、それらの上に回転体４３０を設置して構成されている。弾発部材収納体３９０には中立位置自動復帰機構用の弾発手段（以下「コイルバネ」という）４８０が収納され、また回転体４３０には摺動子４６０が取り付けられている。以下各構成部品について説明する。
【００３９】
取付台３１０は金属板（例えば鉄板）を略矩形状に形成し、その４隅近傍に略円形の貫通孔からなる位置決め孔３１１を設けて構成されている。取付台３１０は、基板保持台３５０と弾発部材収納体３９０とを同一面上に並列に載置することができる寸法形状を有しており、対向する一方の両側辺の両端部近傍には舌片状に突出する取付片３１３が設けられ、その根元部分が折り曲げられることで上方向を向いている。取付台３１０のもう一方の対向する両側辺には、外方に向けて棒状に突出するアース端子３１５が設けられている。また取付台３１０の前記取付片３１３を設けた側の外周辺には、舌片状に突出する一対ずつの第１アース部３１７と第２アース部３１９とが設けられ、第１アース部３１７は上方向を向くように折り曲げられている。また取付台３１０の内部にも、舌片状に突出する第３アース部３２１が設けられ、上方向を向くように折り曲げられている。
【００４０】
図１５はフレキシブル回路基板３３０と端子板５００の斜視図である。同図に示すようにフレキシブル回路基板３３０は、合成樹脂フイルム（この実施形態ではポリエチレンテレフタレート（ＰＥＴ）フイルムを用いているが、他の各種合成樹脂フイルムを用いても良い）を略帯状に形成しその表面（上面）に複数本の摺接パターン（以下この実施形態では「スイッチパターン」という）３３３を設けた機能部３３１と、機能部３３１の両端からそれぞれ引き出してその表面（上面）に前記各スイッチパターン３３３に接続される配線パターン３４１を形成した配線部３４３Ａ，３４３Ｂと、両配線部３４３Ａ，３４３Ｂの先端に設けられる端子部３４５Ａ，３４５Ｂと、を具備して構成されている。
【００４１】
スイッチパターン３３３は帯状の機能部３３１の長手方向に向かう１本のコモンスイッチパターン３３３ａと、コモンスイッチパターン３３３ａに平行で同一直線上に配置される一対のオンオフスイッチパターン３３３ｂ，３３３ｂとを、例えばスクリーン印刷や金属箔のエッチングなどによって形成して構成されている。コモンスイッチパターン３３３ａと一方のオンオフスイッチパターン３３３ｂの同一側の端部にはそれぞれ配線パターン３４１，３４１が接続されて一方の配線部３４３Ａ上に引き出されており、他方のオンオフスイッチパターン３３３ｂの反対側の端部には配線パターン３４１が接続されて他方の配線部３４３Ｂ上に引き出されており、これら配線パターン３４１はそれぞれ端子部３４５Ａ，３４５Ｂ上に形成した端子接続パターン３４７に接続されている。両配線部３４３Ａ，３４３Ｂは略コ字状に折れ曲がる形状を有することで前記一対の端子部３４５Ａ，３４５Ｂは隣接して配置されている。以上の構成により、フレキシブル回路基板３３０には開口３４９が形成される。また両配線部３４３Ａ，３４３Ｂの所定位置（４か所）には円形の位置決め孔３４７が設けられ、また端子部３４５Ａ中には１つの樹脂挿通孔３５１が設けられている。
【００４２】
基板保持台３５０は合成樹脂（この実施形態ではＰＢＴ樹脂であるが、他の各種合成樹脂でも良い）の一体成形品であり、機能部取付部３５１と端子固定部３６１とを併設するとともに、両者の間の位置に上下に貫通するアース部挿入部３６３を設け、アース部挿入部３６３の上部に側壁部３５５を設置して構成されている。機能部取付部３５１は略帯板状で下記する摺動子４６０側（即ち上側）に向けて凸となるアーチ形状となっている。機能部取付部３５１の上面は凸状の円弧面の一部で形成されており、それに合わせて機能部取付部３５１の下面は凹状の円弧面となっている。機能部取付部３５１は前記フレキシブル回路基板３３０の機能部３３１全体を載置できる寸法形状に形成されている。基板保持台３５０の前記フレキシブル回路基板３３０に設けた各位置決め孔３４７を通して貫通するように位置決め穴３５７が形成されている。基板保持台３５０の下面には一対の小突起からなる取付突部３５４，３５４が設けられている。
【００４３】
端子固定部３６１は基板保持台３５０の一端辺の部分に設けられており、フレキシブル回路基板３３０の各端子接続パターン３４７上に各端子板５００の端部を当接したその上下（周囲）を囲むように略四角柱状に形成され、これによって各端子板５００を機械的・電気的にフレキシブル回路基板３３０に接続している。
【００４４】
アース部挿入部３６３は略矩形状の貫通孔であり、前記フレキシブル回路基板３３０の開口３４９の部分を通過している。側壁部３５５はアース部挿入部３６３の上部をアーチ状に跨ぐアーチ部３５６を有して形成されており、アーチ部３５６下面側の貫通孔の部分がガイド部３５９となっている。アーチ部３５６の下辺は円弧状であって、円弧の中心軸は、機能部取付部５１表面の円弧の中心軸と一致している。
【００４５】
フレキシブル回路基板３３０は図１０，図１２，図１３等に示すように基板保持台３５０にインサート成形により一体に取り付けられている。即ち基板保持台３５０と同一形状のキャビティーを有する図示しない金型内にフレキシブル回路基板３３０と端子板５００とをインサートして設置し、その状態で前記キャビティー内に溶融した合成樹脂を圧入することで、基板保持台３５０を成形すると同時に基板保持台３５０にフレキシブル回路基板３３０と端子板５００とを一体に取り付ける。これによってフレキシブル回路基板３３０の機能部３３１はその全体が機能部取付部３５１上面の上方向に凸となる円弧面に沿うようにこれに密着して設置され、その際スイッチパターン３３３は上面側に露出する。また基板保持台３５０の機能部取付部３５１の外側側面（弾発部材収納体３９０側を向く側面）からは、この側面に沿うように細長形状の突出部３５４が設けられ、その上面側に長手方向に延びるガイド溝３５３が設けられる。
【００４６】
なお前記フレキシブル回路基板３３０に設けた位置決め孔３４７は、フレキシブル回路基板３３０を金型内にインサートした際の位置決め用のピンを挿入するためのものであり、ピンを挿入することによって基板保持台３５０に前記位置決め穴３５７が形成される。
【００４７】
次に弾発部材収納体３９０は合成樹脂（この実施形態ではＡＢＳ樹脂であるが、他の各種合成樹脂でも良い）の一体成形品であり、その上面３９１は左右方向（長手方向）に向かって上方向に凸となる円弧面となっている。弾発部材収納体３９０の基板保持台３５０側を向く面には、下記するコイルバネ４８０を収納するコイルバネ収納部３９３が設けられている。コイルバネ収納部３９３は左右方向（長手方向）に向かって上方向に凸となる円弧状の凹部からなっている。コイルバネ収納部３９３の左右両端には下記する回転体４３０に設けた一対のバネ押圧部４３５をコイルバネ収納部３９３内に挿入するためのスリット状の切り欠きからなる挿通部３９５が設けられている。また弾発部材収納体３９０のコイルバネ収納部３９３を設けた反対側の面の左右両端近傍下部からは一対の矩形状の取付基部４０１が突設しており、それらの下面からは下方向に向かって小突起状の取付部４０３が突出している。なお上記弾発部材収納体３９０の各部の上方向に凸となる円弧面の中心軸は、この弾発部材収納体３９０と前記基板取付台３５０とを取付台３１０上に載置した際に前記基板取付台３５０で説明した中心軸と同一軸になる。
【００４８】
回転体４３０は合成樹脂（この実施形態ではＡＢＳ樹脂であるが他の各種合成樹脂でも良い）の一体成形品であり、操作つまみ４５１の下面側にバネ押圧体４３１と摺動子取付部４４１とを並列に設置して構成されている。バネ押圧体４３１は、長手方向（左右方向）に円弧状に湾曲させた押圧体支持部４３３の両端下部の側面から水平に摺動子取付部４４１から離れる方向に向けてバネ押圧部４３５を突出して構成されている。バネ押圧部４３５も上方向に凸となるように円弧状に湾曲している。押圧体支持部４３３の下辺からは下方向に向かって平板状のガイド部４３６が突設されている。
【００４９】
摺動子取付部４４１はバネ押圧体４３１に並列に設置され、その下面に摺動子４６０を取り付けるための２つの小突起４４３を設けている。摺動子取付部４４１の前記バネ押圧体４３１とは反対側を向く面からは四角柱状のガイド部４４５が外方（基板保持台３５０の側壁部３５５側）に向けて突出している。ガイド部４４５は前記側壁部３５５のガイド部３５９に挿入される寸法で構成されている。操作つまみ４５１は平板状でその長手方向（左右方向）に向かって上方向に凸となる円弧面形状のつまみ基部４５３と、つまみ基部４５３の上面中央から上方向に向かって突出する突起状のつまみ部４５５とを具備して構成されている。
【００５０】
摺動子４６０は弾性金属板製の略矩形状の基部４６１の一辺から２本の摺動冊子４６３を突出し、その根元部分を基部４６１の下面側（フレキシブル回路基板３３０側）に約１８０°折り返してそれらの先端に摺接接点４６５を設けて構成されている。基部４６１には前記小突起４４３を挿入する小孔が設けられている。この摺動子４６０とフレキシブル回路基板３３０に形成したスイッチパターン３３３とによって回転体４３０の回転によって電気的出力を変化する電気的機能部が構成される。
【００５１】
コイルバネ４８０は圧縮方向に弾発力を有する圧縮コイルバネであり、その両端には消音用の弾性体（この実施形態では合成ゴム）からなるバネ受４８１が取り付けられる。なお図１４ではコイルバネ４８０及びバネ受４８１をコイルバネ収納部３９３に収納した状態を、図１３は収納していない状態を示している。
【００５２】
次に回転式電子部品１−２の組立方法を説明する。まず予め回転体４３０の摺動子取付部４４１の下面に摺動子４６０の基部４６１を当接し、その際２つの小孔に回転体４３０の２つの小突起４４３をそれぞれ挿入して一方の小突起４４３の先端を熱かしめして固定する。一方弾発部材収納体３９０のコイルバネ収納部３９３に両端にバネ受４８１を取り付けたコイルバネ４８０を収納しておく。
【００５３】
そして前記回転体４３０の一対のバネ押圧部４３５を、弾発部材収納体３９０の各挿通部３９５内に挿入しながら、弾発部材収納体３９０のコイルバネ４８０を収納した側の側部に基板保持台３５０を配置し、これによって摺動子４６０の摺接接点４６５をスイッチパターン３３３に当接すると同時に回転体４３０のガイド部４４５を基板保持台３５０のガイド部３５９に挿入する。このとき回転体４３０のガイド部４３６が基板保持台３５０のガイド溝３５３内に挿入される。そしてこれら併設した弾発部材収納体３９０及び基板保持台３５０を取付台３１０上に載置し、その際取付台３１０の各位置決め孔３１１に弾発部材収納体３９０の各取付部４０３と基板保持台３５０の各取付突部３５４を挿入し、次に取付台３１０に設けた４本の取付片３１３を内側に向けて折り曲げて基板保持台３５０の端子固定部３６１の上面と弾発部材収納体３９０の取付基部４０１の上面とに係止する。これによって回転式電子部品１−２の組み立てが完了する。なお上記組立手順はその一例であり、他の各種異なる組立手順を用いて組み立てても良いことはいうまでもない。
【００５４】
この回転式電子部品１−２においても取付台３１０上に回転体４３０のバネ押圧部４３５とガイド部４４５とをそれぞれ弾発部材収納体３９０と基板保持台３５０の所定位置に挿入しながら弾発部材収納体３９０と基板保持台３５０を設置するだけでその組み立てが行えるので、前記特許文献１の回転式電子部品の場合に比べて組み立てが容易になる。言い換えれば、フレキシブル回路基板３３０に設けたスイッチパターン３３３が上向きで、その上方に摺動子４６０を取り付けた回転体４３０を設置する構造なので、回転式電子部品１−２の組み立てが一方向（つまり取付台３１０に対してその上方向）から容易に行なえる。従って回転式電子部品１−２の小型化にも容易に対応できる。
【００５５】
以上のように構成された回転式電子部品１−２において、図１０に示すように、操作つまみ４５１を中立位置から左右に回転すると、回転体４３０は中心軸を中心に回転し、つまり回転体４３０がフレキシブル回路基板３３０の機能部３３１の円弧面に対向した状態で沿うように移動し、これによって摺動子４６０の摺接接点４６５がそれぞれコモンスイッチパターン３３３ａ上とオンオフスイッチパターン３３３ｂ上とを摺動してその出力を変化し、その出力が３本の端子板５００に取り出される。
【００５６】
一方図１１に示すように、操作つまみ４５１を中立位置から回転させた際、これと一体に回転する一対のバネ押圧部４３５の内の一方のバネ押圧部４３５が挿通部３９５からコイルバネ収納部３９３内に入り込み、コイルバネ収納部３９３内のコイルバネ４８０の一方のバネ受４８１を押圧してコイルバネ４８０をコイルバネ収納部３９３内で圧縮し、中立位置への自動復帰力が生じる。従って操作つまみ４５１の回転を解除すれば、操作つまみ４５１は元の中立位置に自動復帰し、電気的出力も元の中立位置の出力になる。
【００５７】
この回転式電子部品１−２においても、フレキシブル回路基板３３０を合成樹脂製の基板保持台３５０にインサート成形することで両者を一体化しているので、基板保持台３５０に対するフレキシブル回路基板３３０の取付精度が向上し、これによって摺動子４６０のスイッチパターン３３３への摺接位置の精度が向上して分解能が向上する。またこの回転式電子部品１−２においても、２本並列に配置したコモンスイッチパターン３３３ａとオンオフスイッチパターン３３３ｂの長さを何れも短くする必要がなく、何れも長い長さ（同一長さ）を維持することができるのでこの点からも分解能の向上が図られる。またこの回転式電子部品１−２においてもスイッチパターン３３３を２本併設したが、併設するスイッチパターン３３３の本数を３本以上に容易に多くすることができ、多回路化が容易に図れる。その場合も各スイッチパターン３３３の長さを同一の長さに形成でき、分解能が悪くなることはない。
【００５８】
なおこの回転式電子部品１−２も、図１２に点線で示すように、例えば電子機器の外装ケース２００の近傍に設置されることが多く、その場合、外装ケース２００に設けた開口部２０１につまみ部４５５を露出する。なお例えば、つまみ部４５５を帯電した指で触ったような場合に回転体４３０の外表面を伝って静電気がスイッチパターン３３３に侵入しようとするが、スイッチパターン３３３の周囲を囲む位置に設けた第１，第２，第３アース部３１７，３１９，３２１があるので、これらの部分に先に入力されてアース端子３１５に接続される図示しないアースパターンに放出される。従ってスイッチパターン３３３への静電気の侵入は効果的に防止される。
【００５９】
ところで回転式電子部品１−２は、第１実施形態にかかる回転式電子部品１に比べてさらにその高さ寸法を小さくできる。以下その理由を説明する。図１６は回転式電子部品１のコイルバネ１８０等からなる中立位置自動復帰機構部分の概略断面図（図１１に相当する部分の概略断面図）である。第１実施形態にかかる回転式電子部品１は取付台１０上に基板保持台５０と回転体収納体９０とを併設し、その上に回転体１３０を設置しているので、その高さ寸法を小さくできる。同様に第２実施形態にかかる回転式電子部品１−２も、取付台３１０上に基板保持台３５０と弾発部材収納体３９０とを併設し、その上に回転体４３０を設置しているので、その高さ寸法を小さくできる。そしてさらに第２実施形態にかかる回転式電子部品１−２の場合は、コイルバネ４８０を弾発部材収納体３９０に収納しているので、第１実施形態のように回転体１３０にコイルバネ１８０を収納する必要がなく、回転体４３０にはコイルバネ収納部３９３の挿通部３９５に挿入させる小さなバネ押圧部４３５だけを設けるだけでよくなる。つまり上下方向に厚みのあるコイルバネ収納部１３３を有する回転体本体部１３１を回転させるためには、その回転に必要な左右のスペースを大きく取る必要がある分、回転式電子部品１の厚みが厚くなるが、上下方向にも回転方向にも小さな寸法のバネ押圧部４３５を回転させるために必要な左右のスペースは非常に小さくでき、このため回転体４３０の高さ寸法の小型化が図れると同時に、回転式電子部品１−２全体の高さ寸法を小さくすることができる。つまりコイルバネ１８０を回転体１３０側に収納する構成に比べて、容易に回転式電子部品１−２の高さ寸法を小さくすることができるのである。
【００６０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では摺接パターンとしてスイッチパターンを用いたが、抵抗体パターン等の他の各種摺接パターンを用いても良い。また摺動子を取り付けた回転体をフレキシブル回路基板の円弧面に対向した状態で沿うように移動させ、これによって円弧状の摺接パターン上に摺動子を摺接させて摺接パターンの電気的出力を変化させる構成であれば、上記実施形態の構造以外の各種構造で回転式電子部品を構成してもよい。
【００６１】
また第２実施形態では端子板５００を用いたが、その代りに第１実施形態に示すように端子板５００を用いず、フレキシブル回路基板３３０の配線部３４３Ａ，３４３Ｂをそのまま外部に引き出しても良い。同様に第１実施形態に第２実施形態のような端子板５００を取り付けても良い。また第２実施形態では第１実施形態に示す挟持部５３Ａ，５３Ｂを設けなかったが、第１実施形態と同様の挟持部５３Ａ，５３Ｂを設けてもよい。
【符号の説明】
【００６２】
１  回転式電子部品
１０  取付台
３０  フレキシブル回路基板
３１  機能部
３３  スイッチパターン（摺接パターン）
３３ａ  コモンスイッチパターン
３３ｂ  オンオフスイッチパターン
４１  配線パターン
４３Ａ，４３Ｂ，４５  配線部
５０  基板保持台
５１  機能部取付部
５３Ａ，５３Ｂ  挟持部
９０  回転体収納体
９３  収納部
９９  バネ押圧部（中立位置自動復帰機構）
１３０  回転体
１３１  回転体本体部
１３３  コイルバネ収納部（中立位置自動復帰機構）
１４１  摺動子取付部
１５１  操作つまみ
１６０  摺動子
１８０  コイルバネ（弾発手段、中立位置自動復帰機構）
１−２  回転式電子部品
３１０  取付台
３３０  フレキシブル回路基板
３３１  機能部
３３３  スイッチパターン
３５０  基板保持台
３５１  機能部取付部
３９０  弾発部材収納体
３９３  コイルバネ収納部（中立位置自動復帰機構）
３９５  挿通部
４３０  回転体
４３５  バネ押圧部（中立位置自動復帰機構）
４６０  摺動子
４８０  コイルバネ（弾発手段、中立位置自動復帰機構）
【図１】
2010092847.tif 000003
【図２】
2010092847.tif 000004
【図３】
2010092847.tif 000005
【図４】
2010092847.tif 000006
【図５】
2010092847.tif 000007
【図６】
2010092847.tif 000008
【図７】
2010092847.tif 000009
【図８】
2010092847.tif 000010
【図９】
2010092847.tif 000011
【図１０】
2010092847.tif 000012
【図１１】
2010092847.tif 000013
【図１２】
2010092847.tif 000014
【図１３】
2010092847.tif 000015
【図１４】
2010092847.tif 000016
【図１５】
2010092847.tif 000017
【図１６】
2010092847.tif 000018